(57)【特許請求の範囲】
【請求項１】
イオン風を誘起するイオン風誘起手段と、イオン風の流路もしくは流路近傍に設置した吸水性を有する加湿エレメントと、該加湿エレメントに水を供給する水供給部と、ファンによる送風装置とを備えて、送風装置の吸い込み側流路がイオン風流路を横切って設けられており、送風装置の吐出側流路中且つイオン風流路近傍に加湿エレメントが配設されていることを特徴とする加湿装置。
【請求項２】
イオン風誘起手段によるイオン風の流路と送風装置による送風路には夫々空気清浄化用フィルターが配設されていることを特徴とする請求項１記載の加湿装置。
【請求項３】
湿度センサーと該湿度センサーにて検出される湿度に応じて送風装置とイオン風誘起手段との運転を制御する制御部を備えていることを特徴とする請求項１または２記載の加湿装置。
【請求項４】
水供給部から加湿エレメントへの水供給を遮断する弁を備えていることを特徴とする請求項１〜３のいずれか１項に記載の加湿装置。
【請求項５】
弁は、水供給部であるタンクに設けられたバルブが兼ねていることを特徴とする請求項４記載の加湿装置。
【請求項６】
イオン風にマイナスイオンを付加するマイナスイオン供給部を備えていることを特徴とする請求項１〜５のいずれか１項に記載の加湿装置。
【請求項７】
イオン風流路及び送風装置の流路に加湿エレメントを通過しないバイパス路を備えるとともに、加湿エレメントを通過する流路とバイパス流路との切換手段を備えていることを特徴とする請求項１記載の加湿装置。
【請求項８】
加湿エレメントをイオン風流路及び送風装置の流路外に退去自在としていることを特徴とする請求項１記載の加湿装置。
【発明の詳細な説明】
【０００１】
【発明の属する技術分野】
本発明は加湿装置、殊に気化方式の加湿装置に関するものである。
【０００２】
【従来の技術】
加湿装置として、超音波により水を霧状にして放出する超音波方式のものと、水を加熱して沸騰蒸発させる加熱方式のものと、送風によって加湿エレメント表面の水分を気化させる気化方式（自然蒸発式）のものが提供されている。
超音波方式や加熱方式のものは装置が比較的小型で多量の加湿量が得られるが、超音波方式では水中の不純物が水と一緒に空気中に放出されるために衛生面で問題を有している。加熱方式は消費電力が大きいために電気代が高くなる等の問題を有している。
【０００３】
一方、気化方式は自然蒸発を利用しているために、不純物が空中に放出されることもなく、また過度な湿度となってしまうこともなく、しかも送風用のファンにおけるモータの消費電力も少なくてすむ。さらには空気清浄化用フィルターとの組み合わせによって空気清浄器としても機能させることができる。
【０００４】
【発明が解決しようとする課題】
しかし、従来の気化方式による加湿装置では送風用ファンの騒音が大きく、寝室において夜間運転するには問題があった。
本発明はこのような点に鑑み為されたものであり、その目的とするところは騒音のない運転を行うことができる加湿装置を提供するにある。
【０００５】
【課題を解決するための手段】
しかして本発明は、イオン風を誘起するイオン風誘起手段と、イオン風の流路もしくは流路近傍に設置した吸水性を有する加湿エレメントと、該加湿エレメントに水を供給する水供給部と、ファンによる送風装置とを備えて、送風装置の吸い込み側流路がイオン風流路を横切って設けられており、送風装置の吐出側流路中且つイオン風流路近傍に加湿エレメントが配設されていることに特徴を有している。イオン風誘起手段で誘起されるイオン風によって水分を保持した加湿エレメントからの水分の気化を促すことで、静音運転を可能とし、送風装置による風で加湿エレメントからの水分の気化を促すことで水分の気化量を多くしたい時に応ずることができるようにしたものである。
【０００６】
また、送風装置による送風路中で且つイオン風流路近傍に加湿エレメントを配設しているために、送風装置による送風路とイオン風誘起手段で誘起されるイオン風との両方に加湿エレメントを個別に設けなくともすむものである。
【０００７】
しかも、送風装置の吸い込み側流路がイオン風流路を横切るものとし、送風装置の吐出側流路中に加湿エレメントを配設しているために、放電部を備えたイオン風誘起手段と加湿エレメントを離すことができるために安全性が高いものである。
イオン風誘起手段によるイオン風の流路と送風装置による送風路に夫々空気清浄化用フィルターを配設していてもよい。空気清浄器としての機能を持たせることができる。
【０００８】
湿度センサーと該湿度センサーにて検出される湿度に応じて送風装置とイオン風誘起手段との運転を制御する制御部を備えたものとすれば、適切な湿度を常時保つものとすることができる。
また、水供給部から加湿エレメントへの水供給を遮断する弁を備えたものとすれば、湿度が高い時の加湿動作を停止させることができる。この弁は、水供給部であるタンクに設けたバルブが兼ねたものであってもよい。
【０００９】
イオン風にマイナスイオンを付加するマイナスイオン供給部を備えたものとしてもよい。
イオン風流路及び送風装置の流路に加湿エレメントを通過しないバイパス路を備えるとともに、加湿エレメントを通過する流路とバイパス流路との切換手段を備えたものとしたり、加湿エレメントをイオン風流路及び送風装置の流路外に退去自在としてもよい。送風のみが必要で加湿が必要でない場合に応ずることができる。
【００１０】
【発明の実施の形態】
本発明の実施の形態の一例について説明すると、図示例の加湿装置は、空気清浄器としての機能を併せ持つもので、大きく開口する前面の吸い込み口１３に前カバー１１が着脱自在に取り付けられている本体１の後部側にはフィルター４が配設されており、フィルター４の後方側には送風用の遠心型のファン３０とこのファン３０を駆動するためのモータ３１とが配設されている。そしてファン３０の上方側には加湿用ブロック５と水タンク６とが配設されており、ファン３０による風は加湿用ブロック５を通って本体１の上面に開口する吹き出し口１６より外部に吐出される。
【００１１】
ファン３０の駆動時に吸い込み口１３から本体１内に入った空気が通過するフィルター４には粗い埃を除去するためのプレフィルターと、除塵及び脱臭用のフィルターとからなるものを好適に用いることができ、特に薬剤の添付や抗菌剤の添加によってＮＯｘ除去やウィルス不活性化の機能を持たせたものを好適に用いることができる。
【００１２】
上記吸い込み口１３とフィルター４との間の空間１０の下方には、イオン風誘起手段２が設置されている。前カバー１１を外すことで着脱可能に配されたイオン風誘起手段２は、上下面が開口する電極枠内に放電線と対極板とを配した放電極ブロックとして構成されたもので、放電線への例えば＋６．５ｋＶ、対極板へのたとえば−６．５ｋＶの電圧の印加により、放電線近傍の空気が電離されてプラスイオンが発生し、このプラスイオンがマイナス電位となっている対極板側に向かって移動する際に空気分子と衝突してプラスイオンの運動エネルギーが空気分子に与えられて空気が移動する。これがイオン風と呼ばれる風であり、放電線よりも対極板が上方側に設置されていることから、ここでのイオン風は上記吸い込み口１３の下方に位置する吸い込み口１４からフィルター４０を経て上記空間１０を上方に抜け、本体１の上部前面の吐出口１７と上端前面側の吐出口１８とから外部に吐出される。なお、フィルター４は接地もしくはマイナス電位となるようにされているために、プラス電位に帯電した空気中の粉塵はフィルター４に捕集される。
【００１３】
また、空間１０の上方で吐出口１７の近傍には、イオン化針８０と対極板８１とからなるマイナスイオン供給部８が設けられている。イオン化針８０は例えば−６．５ｋＶの電圧が印加されるもので、イオン化針８０の先端付近で空気が電離されてマイナスイオンが発生し、イオン化針８０と接地された対極板８１との間に発生した電気力線に沿ってイオン風が導かれて、人間の体に良いとされているマイナスイオンを添加した浄化空気が吐出口１７，１８から室内に吐出される。
【００１４】
ここにおいて、図９に示すように、イオン化針８０を吐出口の中央付近で先端を正面に向けて配置し、対極板８１をイオン化針８０に対して斜め前方側に配置すれば、マイナスイオンは吐出口１７より正面側に向けて優先的に放出されることになり、本体１を壁際に設置した時にも効果的に室内全体にマイナスイオンを発生させることができる。また、図１０に示すように、イオン化針８０を吐出口１８下部で加湿用ブロック５の側方に配置するとともにその先端を上方に向け、対極板８１をイオン化針８０に対して斜め上方に配置した時には、マイナスイオンは吐出口１８より本体１の斜め前方側に優先的に放出されることになり、室内全体にマイナスイオンを行き渡らせる点において優位なものとなる。なお、加湿用ブロック５とマイナスイオン供給部８とは分離しているために、水漏れ等による感電の心配はない。
【００１５】
前記加湿用ブロック５は、図８に示すように、たとえばパルプのような吸水性を有する材料からなる平板状の加湿エレメント５０と波型となっているスペーサー５１とを交互に多数積層したものを矩形状の枠５２内に配したもので、一端下面からは加湿エレメント５０と一体もしくは別体の吸上部５３が垂下されている。吸水性を持つ吸上部５３は前記タンク６から供給される水を受ける水受け皿１５内に下端を位置させており、タンク６から水受け皿１５内に供給された水を毛細管現象により加湿エレメント５０に供給する。
【００１６】
前記タンク６は本体１に対して着脱自在とされるとともに本体１への装着時に開かれるバルブ６０を備えたもので、このタンク６から供給される水は、本体１側に設けられた開閉弁６５を通じて上記水受け皿１５へと送られる。この開閉弁６５は、図１１及び図１２にも示すように、上端に開閉操作部６６を備えた円筒状のもので、下端部に止水パッキン６５ａ，６５ａと給水溝６５ｂとを直交配置したものとなっており、本体１上面に位置する開閉操作部６６の回転操作によって開閉弁６５を軸回りに回転させることにより、タンク６からの水受け皿１５への水路を図１２(a)に示すように止水パッキン６５ａで閉じたり同図(b)に示すように給水溝６５ｂで開いたりする。開いた状態では水受け皿１５へとタンク６側からの水が流れるが、閉じた時には水受け皿１５への水供給が遮断される。
【００１７】
開閉弁６５は図１３に示すように、その上下操作によって水路の開閉を行うものであったり、あるいは図１４に示すように、水平方向の軸回りの回転で水路の開閉を行うものであったりしてもよい。
さらには、タンク６のバルブ６０が開閉弁６５を兼ねるようにしてもよい。図１５〜図１７はこの場合の一例を示しており、本体１の前面に配された開閉操作部６６’を押し込めば、楔型をなしている該開閉操作部６６’がタンク６の下方に潜りこんでタンク６を浮かせるために、本体１への装着時にバルブ６０を開くピン６７からバルブ６０が離れてバルブ６０が閉じられる。開閉操作部６６’を引き戻せば、タンク６が本来の位置に戻り、バルブ６０がピン６７によって押し開かれる。
【００１８】
今、水を充填したタンク６を本体１に装着して開閉弁６５を開けば、前述のように加湿用ブロック５における加湿エレメント５０に水が供給されるものであり、この状態で上記ファン３０とモータ３１とからなる送風装置３を作動させれば、吸い込み口１３からフィルター４を通った空気が加湿用ブロック５を通って吹き出し口１６から室内に吐出される。この時、加湿エレメント５０が保持している水分が気化して加湿が行われる。
【００１９】
また、イオン風誘起手段２を作動させた時には、前述のように吸い込み口１４から吐出口１７，１８へと抜けるイオン風が流れる。この時、吐出口１８は送風装置２による風の出口である吹き出し口１６の一部として形成されていて、吐出口１８へと流れるイオン風が加湿用ブロック５の近傍を通過するようにされている。このためにイオン風誘起手段２のみを作動させた時にも、イオン風によって誘引される風が加湿用ブロック５内を流れるものであり、このために、イオン風が加湿用ブロック５内を直接通過するわけではないものの、加湿エレメント５０表面からの水の気化による加湿が促進される。
【００２０】
送風装置３を作動させるとともに加湿用ブロック５に水を供給している時には、加湿用ブロック５からの水分の気化量が多く、このために湿度が非常に低い場合の運転モードとして好適なものとなっている。また、イオン風誘起手段２を作動させるとともに加湿用ブロック５に水を供給している時には、送風音がなく、しかも加湿もなされることから、夜間の室内の運転モードとして好適なものとなっている。なお、送風装置３を作動させる時にはイオン風誘起手段２も作動させておくようにしてもよい。帯電させた粉塵のフィルター４による電気的集塵を期待することができるからである。またマイナスイオン供給部８も作動させておくことで、マイナスイオンの室内への供給も行うことができる。
【００２１】
一方、本体１の側面には湿度センサー７を配設してある。この湿度センサー７の出力は運転制御回路に入力される。運転制御回路は、上記ファン３０とモータ３１とからなる送風装置３と、イオン風誘起手段２と、マイナスイオン供給部８の動作を制御するもので、イオン風誘起手段２とマイナス供給部８のみを作動させるモード、これらに加えて送風装置３も作動させるモード（もしくは単独で送風装置３を作動させるモード）の手動運転モードのほか、湿度に応じた運転を行う自動運転モードを備えている。自動運転運転モードは、室内の湿度が所定値（たとえば５０％以下）である時には、送風量が多いために水分の気化量も多くすることができる送風装置３（とイオン風誘起手段２）を作動させるとともに湿度に応じて運転の強弱を切り換えて送風量を変化させるものであり、適度な湿度である時には送風装置３を停止させてイオン風誘起手段２を作動させ、適度な湿度補給を行う。
【００２２】
ところで、タンク６から加湿用ブロック５における加湿エレメント５０への給水にあたり、水受け皿１５を設けている構成のものでは、本体１が転倒した時、水受け皿１５から水がこぼれることになり、この水が漏電等の原因となってはならない。このために、図示例のものにおいては、タンク６のバルブ６０から水受け皿１５に至るまでの距離Ｌを小さくすると同時に、この間を結ぶ水路の水深を水の流れやすさを考慮した最小限の約３ｍｍ、水受け皿１５での水深を加湿エレメント５０の吸水の点を考慮した最小限の約１０ｍｍとすることで、転倒時にこぼれ出る水の量を少なく保つともに、タンク６のバルブ６０を本体１の中央部に近い場所とすることで、本体１がどの方向に傾いた時でも水受け皿１５の水深が一定となるようにしている。
【００２３】
また、送風装置３におけるファンケースが図５から明らかなように水受け皿１５よりも上方にまで至るようにして、水受け皿１５からこぼれた水が送風装置３側に行くことがないようにしているとともに、加湿用ブロック５の交換時や本体１の傾斜でファンケース内に水が入ることがあっても、ファンケースにおける吐風口は図５に示すようにモータがある中心部から片側に寄った位置にあって、吐風口から滴下する水がモータにかかることはない。さらにファンケースを本体１の外装ケースと同一とすることで、図１に示すようにファンケース下部にたまった水が排水される時に端子部Ｔに水が直接かかることがないようにしている。
【００２４】
タンク６のバルブ６０にしても、本体１が転倒しても開いたままの状態であれば、タンク６から水が漏れ出てしまうことになるために、タンク６と接する本体１の内壁に傾斜を設けて、本体１が転倒した時には本体１からタンク６が外れやすくなるようにしておくのが好ましい。タンク６が本体１から外れれば、バルブ６０が閉じるためにタンク６からの漏水が生じない。
【００２５】
次に、イオン風誘起手段２や送風装置３の運転の制御例について図１８に基づいて説明する。この加湿装置においては、本体１の前面にスイッチＳＷとタイマースイッチＳＷＴとリセットスイッチＳＷＲとを設けるとともに、湿度を快適時に緑で、乾燥時に赤で表示する湿度表示ランプＬＥＤ６と、運転モードを表示する５つの表示ランプＬＥＤ１，ＬＥＤ２，ＬＥＤ３，ＬＥＤ４，ＬＥＤ５と、タイマースイッチＳＷＴによる設定時間（たとえば１時間と４時間と８時間）の表示を行うタイマー表示ランプＬ６，Ｌ７，Ｌ８と、フィルター４の交換を促すための表示ランプＬ９とを設けており、スイッチＳＷを押すとカウンタにＨが入力されて、スイッチＳＷが押されるたびに運転モードが自動標準、自動強、イオン、標準、強、オフの順で切り替わるようにしている。
【００２６】
そして、運転中（オフ以外の運転モードにある時）は、イオン風誘起手段２が常に動作状態となるようにしている。つまり、図１８において、オフ出力のＬ信号を受けてインバータＮＯＴ２がＨを出力し、これによってトランジスタＱ３がオンして表示ランプＬＥＤ５を点灯させると同時にフォトトライアックＰＴ３をオンさせて、イオン風誘起手段２における高圧発生ユニットＨＶに電源を供給して高圧出力を開始させる。
【００２７】
自動標準出力がＨとなれば、表示ランプＬＥＤ１が点灯して自動の運転モードにあることを表示し、またアンド回路ＡＮＤ１にＨが入力される。アンド回路ＡＮＤ１の他方の入力が接続された比較器ＣＭＰ１は、湿度センサー７の出力と基準電圧とを比較するもので、湿度センサー７の出力が基準値より低い（湿度が低い）とＨを出力するために、アンド回路ＡＮＤ１の出力がＨとなり、オア回路ＯＲ１を経てトランジスタＱ１がオンし、フォトトライアックＰＴ１を通じて送風装置３におけるファンモータＭを標準モードで動作させる。また、トランジスタＱ１がオンの時には表示ランプＬＥＤ２が点灯する。湿度が高くなれば、比較器ＣＭＰ１出力がＬとなるために、ファンモータＭが止まるとともに表示ランプＬＥＤ２が消灯する。送風音が問題となる夜間に強運転モードに入らないようにするには、この自動標準モードを選択しておけばよい。
【００２８】
自動強出力がＨとなれば、表示ランプＬＥＤ３が点灯して自動強の運転モードにあることを表示し、またアンド回路ＡＮＤ３にＨが入力される。自動強モードにおいても湿度センサー７の出力を参照してファンモータＭの運転を制御するのであるが、ここでは２つの比較器ＣＭＰ２，ＣＭＰ３を設けるとともに、比較器ＣＭＰ２には比較器ＣＭＰ３よりも高い基準電圧を与えており、前者の基準電圧をＶｓｈ，後者の基準電圧をＶｓｌとすると、湿度センサー７出力が基準電圧をＶｓｌより低い場合、両比較器ＣＭＰ２，ＣＭＰ３の出力はＬとなり、アンド回路ＡＮＤ２の出力がＬ、ナンド回路ＮＡＮＤ１の出力がＨとなり、アンド回路ＡＮＤ４を介してトランスタＱ２がオンしてファンモータＭを強モードで作動させるとともに表示ランプＬＥＤ４を点灯させる。湿度センサー７の出力が２つの基準電圧Ｖｓｈ，Ｖｓｌの中間の値であれば、ファンモータＭを通常モードで動作させ、さらに湿度センサー７の出力が基準電圧Ｖｓｈより高くなれば、ファンモータＭが停止する。
【００２９】
イオン出力がＨとなれば、前述のイオン風誘起手段２における高圧発生ユニットＨＶに電源を供給する状態のみを継続する。
手動標準出力がオンとなれば、オア回路ＯＲ１とトランジスタＱ１とを通じてファンモータＭを作動させるとともに表示ランプＬＥＤ２を点灯させる。この時、湿度センサー７の出力は参照しない。
【００３０】
さらに手動強出力がＨとなれば、オア回路ＯＲ２とトランジスタＱ２とを介してファンモータＭを強モードで作動させるとともに表示ランプＬＥＤ４を点灯させる。
また、湿度センサー７の出力は、比較器ＣＭＰ４，ＣＭＰ５にも入力されるとともに、比較器ＣＭＰ４の基準電圧を比較器ＣＭＰ４の基準電圧より高くしているために、湿度センサー７の出力が低い方の基準電圧よりもさらに低い時には表示ランプＬＥＤ６を赤で点灯させ、上記両基準電圧の中間値である場合には表示ランプＬＥＤ６を緑で点灯させて、適湿状態であることを示す。さらに高い方の基準電圧よりもさらに高い電圧が湿度センサー７から出力される時には、表示ランプを赤と緑の両方で点灯させて、視覚的に橙色を表示させる。なお、湿度表示は比較器の数を増やすことで４段階以上に表示することも可能であり、また湿度をデジタル表示することもできる。
【００３１】
夜間に強運転モードに入ることを強制的に阻止する手段を設けてもよい。たとえばフォトトランジスタのような外光検出部材を設けて、この外光検出部材が外光を検出している時にのみ、運転モードに応じたファンモータＭの動作を可能とし、外光検出部材が外光を検出していない時、つまり暗い時にはファンモータＭの強運転（もしくはファンモータＭの運転そのもの）を禁止するのである。
【００３２】
図１９〜図２２に他例を示す。ここで示した加湿装置は、基本的構成は上記のものと同じであるが、本体１の内部に左右方向にスライド自在とした風路開閉板３５を設けている。この風路開閉板３５は、通常時は図２０に示すようにタンク６の下方位置にあるが、図中左方に移動させたならば、図２１及び図２２に示すように加湿用ブロック５への流路（吐出口１８への流路）を閉じてしまうものであり、この時、送風装置３やイオン風誘起手段２による風は加湿用ブロック５を通過せずに本体１前面の吐出口１７から排出されるために、清浄化されただけで加湿されることなく吐出される。
【００３３】
加湿用ブロック５への風の流れを遮断することに代えて、加湿用ブロック５を流路外に退去させるようにしてもよい。
【００３４】
【発明の効果】
以上のように本発明においては、イオン風を誘起するイオン風誘起手段と、イオン風の流路もしくは流路近傍に設置した吸水性を有する加湿エレメントと、該加湿エレメントに水を供給する水供給部とを備えて、イオン風誘起手段で誘起されるイオン風によって水分を保持した加湿エレメントからの水分の気化を促すものであり、イオン風誘起手段は無音動作のために夜間の寝室においても好適に用いることができる。
【００３５】
そしてファンによる送風装置も備えているために、水分の気化量を多くしたい時にこれに応ずることができるものであり、また送風装置による送風路中で且つイオン風流路近傍に加湿エレメントを配設しているために、送風装置による送風路とイオン風誘起手段で誘起されるイオン風との両方に加湿エレメントを個別に設けなくともすむものであり、コンパクトにできる上にイオン風誘起手段と送風装置の両者を設けたものにおけるコストを低減することができる。
【００３６】
さらに、送風装置の吸い込み側流路がイオン風流路を横切るものとし、送風装置の吐出側流路中に加湿エレメントを配設しているために、放電部を備えたイオン風誘起手段と加湿エレメントを離すことができるために安全性を高くすることができる上に、全体としてコンパクト化を図ることができる。
イオン風誘起手段によるイオン風の流路と送風装置による送風路に夫々空気清浄化用フィルターを配設したものでは、空気清浄器としての機能を持たせることができ、室内空気を潤いのあるきれいなものとすることができる。
【００３７】
そして、湿度センサーと該湿度センサーにて検出される湿度に応じて送風装置とイオン風誘起手段との運転を制御する制御部を備えたものとすることで、適切な湿度を常時保つものとすることができる。
また、水供給部から加湿エレメントへの水供給を遮断する弁を設けておくことで、湿度が高い時の加湿動作を停止させることができる。この弁は、水供給部であるタンクに設けたバルブが兼ねたものとなっていると、新たな弁を設けることなく対応することができる。
【００３８】
さらにイオン風にマイナスイオンを付加するマイナスイオン供給部を備えたものとすることで、人間の体によいとされるマイナスイオンを室内に放出することができる。
そして、イオン風流路及び送風装置の流路に加湿エレメントを通過しないバイパス路を備えるとともに、加湿エレメントを通過する流路とバイパス流路との切換手段を備えたものとしたり、加湿エレメントをイオン風流路及び送風装置の流路外に退去自在としたものにおいては、送風のみが必要で加湿が必要でない場合に応ずることができる。
【図面の簡単な説明】
【図１】本発明の実施の形態の一例の縦断面図である。
【図２】同上の正面図である。
【図３】同上の平面図である。
【図４】同上の側面図である。
【図５】同上の横断面図である。
【図６】同上の水平断面図である。
【図７】同上の縦断面図である。
【図８】加湿用ブロックの斜視図である。
【図９】マイナスイオン供給部の他の配置例を示す断面図である。
【図１０】マイナスイオン供給部のさらに他の配置例を示す断面図である。
【図１１】開閉弁の斜視図である。
【図１２】  (a)(b)は開閉弁の動作を示す水平断面図である。
【図１３】開閉弁の他例を示すもので、(a)(b)は斜視図である。
【図１４】開閉弁のさらに他例を示すもので、(a)は斜視図、(b)(c)は正面図である。
【図１５】他例の水平断面図である。
【図１６】同上の部分断面図である。
【図１７】同上の部分断面図である。
【図１８】回路の一例を示す回路図である。
【図１９】別の例の正面図である。
【図２０】同上の横断面図である。
【図２１】同上の流路変更時の横断面図である。
【図２２】同上の流路変更時の縦断面図である。
【符号の説明】
２  イオン風誘起手段
３  送風装置
４  フィルター
５  加湿用ブロック
６  水タンク
８  マイナスイオン供給部
５０  加湿エレメント
【図１】
0003731336.tif 000002
【図２】
0003731336.tif 000003
【図３】
0003731336.tif 000004
【図４】
0003731336.tif 000005
【図５】
0003731336.tif 000006
【図６】
0003731336.tif 000007
【図７】
0003731336.tif 000008
【図８】
0003731336.tif 000009
【図９】
0003731336.tif 000010
【図１０】
0003731336.tif 000011
【図１１】
0003731336.tif 000012
【図１２】
0003731336.tif 000013
【図１３】
0003731336.tif 000014
【図１４】
0003731336.tif 000015
【図１５】
0003731336.tif 000016
【図１６】
0003731336.tif 000017
【図１７】
0003731336.tif 000018
【図１８】
0003731336.tif 000019
【図１９】
0003731336.tif 000020
【図２０】
0003731336.tif 000021
【図２１】
0003731336.tif 000022
【図２２】
0003731336.tif 000023